(57)【要約】      （修正有）【課題】人間工学的で使用しやすく効果的で操作者からの過剰な力を必要としない、ベースでのカテーテルの解除可能ブロックシステムを提供する。【解決手段】カテーテル４を収容可能なベースと、シェル３がベースから離間する開位置とシェル３がベースに係止されてカテーテル４を定位置でブロックする閉位置との間における回転でベースに取り付けられるシェル３とを有し、休止位置とブロック位置との間においてハウジング２０内で可動である、ガイド孔２５１が設けられたアクチュエータ２５をシステムが有し、アクチュエータ２５が第１駆動要素２５５を有し、開位置から閉位置へシェル３がシフトする時に第１駆動要素２５５と協働してアクチュエータ２５をブロック位置へシフト可能な第２駆動要素３３をシェル３が有する。【選択図】図３ｂ
2014054540.tif 000002
【特許請求の範囲】
【請求項１】
カテーテル（４）、特に局所麻酔用カテーテルの解除可能ブロックシステム（１）であって、カテーテル（４）を収容可能なベース（２）と、シェル（３）が前記ベース（２）から離間する開位置とシェル（３）が前記ベース（２）に係止されて前記カテーテル（４）を定位置でブロックする閉位置との間で前記ベース（２）に回転可能に取り付けられるシェル（３）とを有し、
前記ベース（２）は長手軸（Ｘ）による主方向を有するハウジング（２０）を画定し、前記ハウジング（２０）は、前記長手軸（Ｘ）に沿って延在するブロック孔（２４１）を有し、前記ハウジング（２０）の先端壁部（２１２）と当接可能なスリーブ（２４）を包囲可能なものであり、
前記システムは、前記長手軸（Ｘ）に沿って延在するガイド孔（２５１）が設けられるとともに、休止位置とアクチュエータ（２５）が前記スリーブ（２４）に軸力を印加して前記スリーブを変形させるブロック位置との間において前記ハウジング（２０）内で前記長手軸（Ｘ）に沿って並進運動可能であるアクチュエータ（２５）を有し、前記アクチュエータ（２５）は第１駆動要素（２５５）を有し、
前記ブロック孔（２４１）と前記ガイド孔（２５１）とは前記カテーテル（４）を収容可能とされており、
前記シェル（３）は、前記シェル（３）が開位置から閉位置へシフトする時に前記アクチュエータ（２５）の前記第１駆動要素（２５５）と協働して前記アクチュエータ（２５）を前記長手軸（Ｘ）に沿ってブロック位置へシフトさせる第２駆動要素（３３）を有する、
解除可能ブロックシステム。
【請求項２】
前記ハウジング（２０）が、
ブロック室（２１）と、
前記ブロック室（２１）の延長部として前記長手軸（Ｘ）に沿って延在するリング（２２）と、
前記ブロック室（２１）と前記リング（２２）との間で前記長手軸（Ｘ）に沿って延在する通路（２３）と、
を有する、請求項１に記載の解除可能ブロックシステム（１）。
【請求項３】
前記アクチュエータ（２５）の前記先端部（２５４）の外径が最大でも前記リング（２２）の内径と等しい、請求項１および２のいずれか一項に記載の解除可能ブロックシステム（１）。
【請求項４】
前記スリーブ（２４）の前記ブロック孔（２４１）の内径が前記カテーテル（４）の外径と実質的に等しい、請求項１から３のいずれか一項に記載の解除可能ブロックシステム（１）。
【請求項５】
前記ハウジングは前記アクチュエータ（２５）の前記第１駆動要素（２５５）に対向して延在する開口部（２３１）を有し、前記シェル（３）の前記第２駆動要素（３３）は前記ハウジング（２０）の前記開口部（２３１）を通して前記第１駆動要素（２５５）と協働するように配置される、請求項１から４のいずれか一項に記載の解除可能ブロックシステム（１）。
【請求項６】
前記第１駆動要素（２５５）は前記アクチュエータ（２５）の前記先端部（２５４）から外側へ延在する復帰斜面（２５５ａ）を有し、
前記第２駆動要素（３３）は、前記シェル（３）から延在し、前記シェル（３）が閉位置へ動かされた時に前記復帰斜面（２５５）と接触するように配設された突出部を有する、請求項１から５のいずれか一項に記載の解除可能ブロックシステム（１）。
【請求項７】
前記要素（２５５）の形状が実質的に環状であって、前記復帰斜面（２５５ａ）が前記長手方向（Ｘ）に垂直な面に対して斜めに配向される、請求項６に記載の解除可能ブロックシステム（１）。
【請求項８】
前記要素（２５５）は、前記シェル（３）が閉位置にある時に前記突起（３３）の先端壁部（３３ｂ）と接触可能で、前記長手方向（Ｘ）に対して略垂直な面で前記復帰斜面（２５５ａ）から延在する根元固定壁部（２５５ｂ）を有する、請求項７に記載の解除可能ブロックシステム（１）。
【請求項９】
前記先端部（２５４）は、前記アクチュエータ（２５）が前記ハウジング（２０）から抜けることを防止する、前記先端部（２５４）から径方向に延在する隆起部（２５８）を有する、請求項１から８のいずれか一項に記載の解除可能ブロックシステム（１）。
【請求項１０】
前記アクチュエータ（２５）および前記ハウジング（２０）は、前記アクチュエータ（２５）から径方向に延びる一つ以上の直線状の溝部および細溝（２５０，２２１）に係合し、前記ベース（２）における前記アクチュエータ（２５）の回転を防止する、、請求項１から９のいずれか一項に記載の解除可能ブロックシステム（１）。
【請求項１１】
前記ベース（２）がさらに医療器具への接続要素（１０）を有し、前記接続要素（１０）は前記ハウジング（２０）と流体連通状態にある、請求項１から１０のいずれか一項に記載の解除可能ブロックシステム（１）。
【請求項１２】
前記ハウジング（２０）と前記接続要素（１０）との間に延在し、前記カテーテル（４）の自由端部を収容可能な、透明点検室（２６）を有する、請求項１１に記載の解除可能ブロックシステム（１）。
【請求項１３】
前記シェル（３）は、前記ベース（２）への係止手段（３２，３２２）を有する、請求項１２に記載の解除可能ブロックシステム（１）。
【請求項１４】
前記係止手段は、解除されると解除可能ブロックシステム（１）を開くように前記ベース（２）のオリフィス（２７３）と嵌合する少なくとも一つのフック（３２２）を有する、請求項１３に記載の解除可能ブロックシステム（１）。
【請求項１５】
前記係止手段（３２）は、前記シェル（３）に固着されて、前記ベース（２）から延在するタブ（３２５）と協働してスナップ固定可能なフック（３２６）を有し、前記タブは操作者が圧力のみで前記フック（３２６）を解除できるように弾性変形可能である、請求項１３に記載の解除可能ブロックシステム（１）。
【発明の詳細な説明】
【技術分野】
【０００１】
本発明は概して、医療器具とカテーテルとを流体連通状態にするのに適した解除可能ブロックシステムに関連する。
【背景技術】
【０００２】
カテーテル、とりわけ局所麻酔用のカテーテルは、たいていは０．４３*０．８０ｍｍ、０．５０*０．９０ｍｍ、または０．５０*１．００ｍｍ程度と直径が小さく、また特に褶曲問題を回避するため比較的弾性を備える材料で製作される。そのため、これらカテーテルが小寸法であると、ベースで人間工学的にブロックするのは困難である。しかし、局所麻酔の範疇でのフィルタなどの医療器具にカテーテルを接続することをねらいとする場合には、これが必要である。
【０００３】
そのため、カテーテルを受容するように設計された内部孔を有して締め付けによりナットによって圧縮され得るエラストマ材料製のスリーブを収容可能な本体を有するベースを使用することが提案されている。ナットによるスリーブの径方向圧縮は実際に、ベースの定位置にカテーテルを保持する。このタイプのベースは例えば、出願人によって出願された特許文献１に図示されている。
【０００４】
使用時において、圧縮性スリーブへのカテーテルの導入を可能にするためスリーブが緩められる時には、特にスリーブを圧縮するナットを紛失する危険があることに出願人は注目した。ベースを使用することがもう可能ではなくなるか、少なくとも紛失部品が交換されるべきである。また、締め付けの間に、ねじれによってナットが回転中に圧縮性スリーブを引きずる危険があるため、カテーテルがブロックされると、今度はスリーブがナットを引きずることによって初期形状を回復してカテーテルに印加された応力を開放するが、これはベースでのカテーテルの適切な機械的作用に対する妨害となり得る。
【０００５】
また、フィルタなどの医療器具にベースが固着されてフィルタが交換されるか単に引き抜かれなければならない時には、ベースの（概して標準的なルアーまたはルアーロックタイプの）ノズルから医療器具を緩めるとナットの緩みを発生させることがあり、医療器具を緩める間にノズルによってベースを保持することが必要なほどである。
【０００６】
カテーテルがベースに正しく保持されたかどうかを判断するのは困難であって、ナットが圧縮性スリーブに充分に締め付けられるかカテーテルがベースに正しく挿入されたことを確認するものが何もないほどであることにも、出願人は注目した。また、このような締め付けは現在、人間工学的とは考えられない。
【０００７】
ブロックされるカテーテルのものと実質的に直径が等しい中央孔を有して径方向に圧縮可能であるように設計された比較的細い管形スリーブを有するベースを利用することも提案されている。
【０００８】
例えば、特許文献２は、カテーテルを収容可能な変形可能な細いスリーブを有するベースと内側溝部を備えるシェルとを有するシステムを提案している。シェルはベースに回転取り付けされ、ベースに閉じられた時にスリーブの内径を局所的に縮小させてカテーテルを定位置でブロックするように内側溝部によってスリーブを径方向に変形させるのに適している。
【０００９】
特許文献３は、カテーテルを着脱可能に受容して必要時にこのカテーテルにおける流体の通過を防止可能なバルブを記載している。この目的のため、バルブは、カテーテルを収容可能なベースと、シェルがベースから離間する開位置とシェルがベースに係止されてカテーテルを定位置でブロックする閉位置との間で並進するようにベースに取り付けられるシェルとを有する。ベースは、カテーテルを収容可能なブロック孔が設けられたスリーブを包囲するハウジングを画定する。システムは、休止位置と、アクチュエータがスリーブに横力を印加してこれを局所的に変形させるブロック位置との間においてハウジング内で並進運動可能であるアクチュエータを、有する。アクチュエータは、この正確なブロック位置で、カテーテルを変形させて流体の通過を防止することも行う。
【先行技術文献】
【特許文献】
【００１０】
【特許文献１】仏国特許発明第２８９６６９８号明細書
【特許文献２】国際公開第２０１１／１０６０７７号パンフレット
【特許文献３】米国特許出願第２００３／０２２５３７９号明細書
【発明の概要】
【発明が解決しようとする課題】
【００１１】
本発明のねらいは、人間工学的で使用しやすく効果的で操作者からの過剰な力を必要としない、ベースでのカテーテルの解除可能ブロックシステムを提案することである。
【００１２】
任意であるが、別の目標は、システムによってカテーテルが適切にブロックされて部品が誤配置されやすくなるのを回避することを操作者に対して保証して、操作者による介入を除いてシステムが固定されたままとすることである。
【課題を解決するための手段】
【００１３】
この目的のため、本発明は、カテーテル、特に局所麻酔用カテーテルを収容可能なベースと、シェルがベースから離間する開位置とシェルがベースに係止されてカテーテルを定位置でブロックする閉位置との間で回転可能にベースに取り付けられるシェルとを有する、カテーテルの解除可能ブロックシステムを提案する。
このシステムにおいて、ベースは、長手軸による主方向を有するハウジングを画定し、このハウジングは長手軸に沿って延在するブロック孔を有し、ハウジングの先端壁部と当接可能なスリーブを包囲するものであり、
システムは、長手軸に沿って延在するガイド孔が設けられて、休止位置と、アクチュエータがスリーブに軸力を印加してこれを変形させるブロック位置との間でこの長手軸に沿ってハウジング内で並進運動可能であるアクチュエータをシステムが有して、アクチュエータが第１駆動要素を有し、
ブロック孔とガイド孔とがカテーテルを収容可能とされており、
シェルは、開位置から閉位置へシェルがシフトする時にアクチュエータの第１駆動要素と協働して長手軸に沿ってアクチュエータをブロック位置へシフトさせる第２駆動要素を有する、ことを特徴とする。
【００１４】
本発明による解除可能ブロックシステムの任意であるが非限定的ないくつかの特徴は、以下の通りである。
−ハウジングが
*ブロック室と、
*ブロック室の延長部として長手軸に沿って延在するリングと、
*ブロック室とリングとの間で長手軸に沿って延在する通路と、
を有する。
−アクチュエータの先端部の外径が最大でもリングの内径と等しい。
−スリーブのブロック孔の内径がカテーテルの外径と実質的に等しい。
−ハウジングはアクチュエータの第１駆動要素と対向して延在する開口部を有し、シェルの第２駆動要素はハウジングの開口部を通して第１駆動要素と協働するように配置される。
−第１駆動要素はアクチュエータの先端部から外側まで延在する復帰斜面を有し、第２駆動要素は、シェルから延在、シェルが閉位置へ動かされた時に復帰斜面と接触するように配設された突出部を有する。
−要素の形状が実質的に環状であって、復帰斜面が長手方向に垂直な面に対して斜めに配向される。
−要素は、シェルが閉位置にある時に突起の先端壁部と接触可能で、長手方向に対して実質的に垂直な面で復帰斜面から延在する根元固定壁部を有する。
−先端部は、アクチュエータがハウジングから抜け出るのを防止可能で、先端部から径方向に延在する隆起部を有する。
−アクチュエータおよびハウジングは、アクチュエータから径方向に延在する一つ以上の直線状溝部および細溝に係合し、ベースにおけるアクチュエータの回転を防止する。
−ベースが医療器具への接続要素を有し、接続要素がハウジングとの流体連通状態にある。
−システムは、カテーテルの自由端部を収容可能で、ハウジングと接続要素との間に延在する透明点検室を有する。
−ベースへの係止手段をシェルが有し、解除されると解除可能ブロックシステムを開くようにベースのオリフィスに嵌合する少なくとも一つのフックを係止手段が有する。
−係止手段は、シェルに固着されて、ベースから延在するタブと協働してスナップ固定するフックを有し、タブは操作者が圧力のみによりフックを解除できるように弾性変形可能である。
【図面の簡単な説明】
【００１５】
【図１】本発明による解除可能ブロックシステムの実施形態の閉位置における斜視図である。
【図２】本発明による解除可能ブロックシステムのベースの実施形態の平面図であり、スリーブおよびアクチュエータは示されていない。
【図３ａ】システムが開いている、図１の解除可能ブロックシステムの側面図である。
【図３ｂ】図３ａの解除可能ブロックシステムの横断面図である。
【図３ｃ】システムが開いている、図３ａの解除可能ブロックシステムの横断面図である。
【図３ｄ】ブロックシステムが閉位置にある時のブロック手段の実施形態の詳細側面図である。
【図４】図２のベースの実施形態の断面図である。
【図５ａ】図２のベースの長手軸Ｘを通る面における横断面図であり、スリーブおよびアクチュエータの実施形態が示されている。
【図５ｂ】図５ａのスリーブおよびアクチュエータを備えるベースの斜視図である。
【図５ｃ】図５ａの面と平行な面における斜視断面図であり、ベースは図５ａのスリーブおよびアクチュエータを備えている。
【図６】本発明による解除可能ブロックシステムの実施形態の底面図である。
【図７】本発明による解除可能ブロックシステムの実施形態の開位置における斜視図である。
【図８ａ】本発明による解除可能ブロックシステムの別の実施形態の開位置における斜視図である。
【図８ｂ】図８ａの実施形態の閉位置における斜視図である。
【図８ｃ】図８ａのブロックシステムのシェルの斜視図である。
【図８ｄ】図８ａのブロックシステムのベースの平面図である。
【発明を実施するための形態】
【００１６】
本発明の他の特徴、目的、および長所は、非限定的な例として挙げられた添付の図を参照して記される以下の詳細な説明から明らかになるだろう。
本発明によるカテーテルの解除可能ブロックシステム１を、添付の図を参照して以下に説明する。
【００１７】
システムは、カテーテル４例えば局所麻酔用カテーテルを収容可能なベース２と、これを定位置で着脱可能にブロックするようにベース２に固着され得るシェル３とを有する。ブロックシステム１は、（システムに挿入およびブロックされると）カテーテル４を医療器具、例えばフィルタとの流体連通状態とする、医療器具との接続要素１０も有する。従来通り、これは、雄型または雌型であるルアーまたはルアーロックタイプのノズルでよい。
【００１８】
シェル３は、好ましくはボールジョイントリンクによるベース２への接続手段３１と、ベース２への係止手段３２と、駆動要素３３とを有する。
【００１９】
ベース２は、長手軸Ｘによる主方向を有するハウジング２０を有し、ハウジング２０は、
−シェル３と対向して配設される開口部２３１と、
−ハウジング２０に収容されるスリーブ２４と、
−アクチュエータ２５がスリーブ２４へ軸力を印加してこれを変形させるブロック位置と、アクチュエータ２５がスリーブ２４へ実質的な力を印加しない休止位置との間においてハウジング２０内で並進運動可能なアクチュエータ２５であって、ハウジング２０の開口部と少なくとも部分的に対向して配設され、シェル３の駆動要素３３と協働する駆動要素２５５を有するアクチュエータ２５と、
−アクチュエータ２５およびスリーブを通過して長手軸Ｘに沿って延在する、カテーテル４を収容可能な孔２５１，２４１と、を有する。
【００２０】
以下において、「根元（proximal）」は操作者に近接する位置にある部位（例えば端部）を指すものとし、「先端（distal）」は操作者から離間した部位を指すものとする。
【００２１】
例えば、ハウジング２０は、
−ブロック室２１と、
−ブロック室２１の延長部として延在するリング２２と、
−ブロック室２１とリング２２との間に延在して開口部２３を形成する通路２３と、
を有する。
【００２２】
ブロック室２１と通路２３とリング２２とは、ハウジング２０の主方向に沿って長手軸Ｘ上に連続的に延在する。これらは、基部２７への接続により相対的に配置される。変形例として、ハウジング２０が基部２７に固着されるのでなく一体式であってもよい。また別の変形例では、ハウジング２０と基部２７とが一体式である。
【００２３】
スリーブ２４はブロック室２１に収容されるのに対して、アクチュエータ２５は通路２３およびリング２２に少なくとも部分的に収容される。
【００２４】
シェル３は、ピボットリンクによってベース２に連接されることが好ましい。このため、基部２７は、例えば、システム１の端部のレベルでシェル３から延在する相補的オリフィスを有する二つの耳部３１１と協働可能な２本のピン２７１を有してもよい。ピン２７１は、シェル３の耳部３１１の嵌着を容易にするための面取り２７２を有してもよい。
【００２５】
ブロック室２１は例えば、通路２３を終端とする根元開口部と、医療器具への接続要素１０との流体連通状態にある先端開口部２１１とを有する、実質的に管形の形状を有してもよい。先端開口部２１１は、概ね切頭または環状の形状であるブロック室２１の先端壁部２１２に近接する位置にある。この先端壁部２１２は、先端開口部２１１を封鎖せずにスリーブ２４を受容してその並進をブロックできる。
【００２６】
ベース２は、ブロック室２１と接続要素１０との間に延在する透明点検室２６も有してもよい。操作者が点検室２６の中身を視認できるように、この点検室２６は透明な材料で製作されるか透明材料で製作された点検窓を有してもよい。点検室２６は、先端壁部２１２によってブロック室２１に接続されている。特に管形の形状を有して、その寸法がブロック室２１の先端開口部２１１の直径に概ね対応させるとよい。
【００２７】
以下で分かるように、点検室２６はカテーテル４の自由端部を収容して、ベース２にカテーテル４を配置するための視覚的標識の役割を果たすことができる。
【００２８】
点検室２６は、ベース２へのシェル３の接続により解除可能ブロックシステム１を閉じることができる。シェル３の係止手段３２は、点検室２６に対向して設けられている。特に、係止手段３２は、シェル３がベース２へ折り重ねられた時に室２６のいずれか一方の側に位置しており、反対側で点検室２６と嵌合可能なフック３２２を自由端部のレベルに有する二つのタブ３２１を、有してもよい。タブ３２１は、フック３２２が点検室２６の下に嵌合するまで点検室２６の側壁部を摺動するように拡開する構成を持ち、タブの弾性復帰の作用を受けて定位置に保持され、ベース２に固着された状態にシェル３を保持する。任意であるが、この弾性復帰は、システム１が正しく閉じられたことを操作者が確認するための聴覚的標識として特に役立つ。
【００２９】
システム１を開くには、フック３２２を外してシェル３をベース２から分離させるだけで充分である。このため、点検室２６と対向するベース２の基部２７の下面２７４にオリフィス２７３が形成されて、注射器ノズルなどの物品のノズルの通過を可能にするのに対して、フック３２２は斜面として作用する傾斜下面３２３を有する。操作者は、フック３２２の下面３２３を押圧するようにオリフィス２７３へ物品を導入して、フック３２２を拡開し、点検室２６を解除するだけで充分である。
【００３０】
オリフィス２７３は、物品のノズルのための通路を残すような寸法を持つとよい。変形例として、図６に図示されているように、フック３２２がオリフィス２７３を介してベースの下面２７４のレベルをかすって（brush）もよい。オリフィス２７３は、物品のノズルの導入とフック３２２の拡開とを可能にするような寸法を持つ。
【００３１】
変形例として、図８ａから８ｄに図示されているように、シェル３の係止手段３２が、シェル３とベース２のいずれか一方の側に設けられてもよい。特に、係止手段３２は、シェル３がベース２に折り重ねられた時にベース２の方向に延在して、ベース２から延在するスナップロックタブ３２５と対向関係で嵌合可能なフック３２６を自由端部のレベルに有する、二つの側方タブ３２４を有するとよい。
【００３２】
ベース２のスナップロックタブ３２５は側面に沿ってベース２に固着され、コネクタ１０の方向に長手軸Ｘと実質的に平行に延在する。ベース２の上面を越えないような寸法をスナップロックタブ３２５が持つことが好ましい。スナップロックタブ３２５は、フック３２６の通過を可能にしてこれを定位置に維持するように、弾性的に変形可能である。それゆえ、フック３２６がスナップロックタブ３２５の下に嵌合するまで拡開してスナップロックタブ３２５の上を摺動するように側方タブ３２４が設けられ、フックはスナップロックタブ３２５の弾性復帰の作用を受けて定位置に保持され、シェル３をベース２に固着された状態に維持する。任意であるが、この弾性復帰は、システム１が正しく閉じられたことを操作者が確認するための聴覚的標識として特に役立つ。
【００３３】
図に描かれた実施形態では、シェル３の外側に対してオフセットするようにシェル３の下面の面に延在する表面３２８に側方タブ３２４が固着される。このようにして、シェル３をベース２に閉じる間に、フック３２６がスナップロックタブ３２５の外面と接触して、フック３２６が通過できるまでこれをベース２に近づけることによってこれを変形させる。
【００３４】
スナップロックタブ３２５の各々は、操作者により接触可能なように外面に形成され、操作者がベース２へ近づけることにより指圧のみでスナップロックタブ３２５を変形させてフック３２６を解除できるようにする隆起部３２７を備える。自発的な動作を用いて、操作者はシェル３をベース２から分離して解除可能ブロックシステム１を開き、カテーテルを解除することができる。
【００３５】
タブ３２４，３２５のスナップ固定が、解除可能ブロックシステムの適切な閉口を操作者に対して保証する操作者のための聴覚的標識を構成すると好都合である。また、係止手段３２はスナップ固定の安全性を保証し、再度開口のためには操作者による介入が必要とされる。
【００３６】
任意であるが、シェル３を持ち上げる際のシステム１の取り扱いを容易にするため、シェル３および／またはベース２が浮き彫り３４、例えば耳部を備えるとよい。
【００３７】
スリーブ２４は変形可能な材料で製作されることが好ましく、圧縮性であるとよい。例えば、スリーブ２４はポリイソプレンなどのエラストマ材料で製作されるとよい。
【００３８】
スリーブ２４は、カテーテル４を受容するように設計されたブロック孔２４１を有する。カテーテル４を孔２４１へ導入してからアクチュエータ２５によりスリーブ２４が変形される時にそのブロックを容易にするため、このブロック孔２４１の内径はカテーテル４の内径と実質的に等しくなるように選択される。ブロック孔２４１はスリーブ２４と同軸であることが好ましい。
【００３９】
スリーブ２４の形状は、ブロック室２１における配置、そのためカテーテル４をブロックするように設計されたブロック孔２４１の配置を保証するため、ブロック室２１の内部空間の形状と実質的に相補的である。それゆえ、実質的に管形の形状のブロック室２１については、スリーブ２４の形状は実質的に回転円筒形である。その直径も、ブロック室２１への挿入を可能にしてハウジング２０に対する配置を保証するため、やはりブロック室２１の内径に応じて選択される。例えば、スリーブ２４の外径はブロック室２１の内径と実質的に等しいとよい。
【００４０】
それゆえ、スリーブ２４がブロック室２１に配置されると、ブロック孔２４１はブロック室２１（およびハウジング２０）と同軸である。
【００４１】
リング２２は実質的に管形の形状を有して、根元開口部と通路２３を終端とする先端開口部とを有してもよい。図示された実施形態では、リング２２はシェル３への接続手段を支承し、ここでは２本のピン２７１がベース２の面において長手軸Ｘに対して径方向に延在する。シェル３は、ピン２７１に取り付けられ、ピン２７１の軸を中心としてシェル３を旋回させるのに適した二つの耳部３１１を有する。シェル３の形状はまた、ブロックシステム１が開いている時、つまりシェル３がベース２に折り重ねられていない時にはカテーテル４の導入を防止しないように選択される。例えば、ブロックシステム１が開いている時にはその根元端部がリング２の外側の壁部で停止するようにシェル３を形成してもよい。
【００４２】
通路２３は、ブロックシステム１のシェル３と対向して延在する開口部を有する。例えば、通路２３は、リング２２の延長部として半円形断面のＵ字形壁部２３２を有して、開口部２３１がその全長にわたって延在してもよい。変形例として、通路２３は管形の形状としてもよく、シェル３の駆動要素３３を収容できる寸法の窓の形状で開口部２３１が形成される。
【００４３】
アクチュエータ２５は、スリーブ２４と接触してハウジング２０の先端壁部２１２の方向にスリーブを押圧し、ブロック孔２４１の内側区分を縮小させカテーテル４を定位置でベース２に対してブロックできる。
【００４４】
この目的のためにアクチュエータ２５は、長手軸Ｘに沿った並進運動が可能であり、リング２２に少なくとも部分的に収容される根元ガイド部２５２と、通路２３に少なくとも部分的に収容されてプッシャを形成する先端部２５４とを有する。
【００４５】
先端部２５４はスリーブ２４を押圧するのに対して、ガイドとして作用する根元部２５２は、スリーブ２４およびベース２に対してカテーテル４を位置決めし、またブロック室２１にアクチュエータ２５を位置決めする。
【００４６】
アクチュエータ２５はカテーテル４を通過させるガイド孔２５１を有し、その根元端部２５３はカテーテル４の導入を容易にするため広げられている。このガイド孔２５１の内径は、孔２５１へのカテーテル４の導入を可能にしてからスリーブ２４への案内を容易にするため、カテーテル４のものより若干大きくなるように選択される。例えば、ガイド孔２５１の直径は、幅広の根元端部２５３と、スリーブのブロック孔２４１と対向して配置される先端端部との間で減少するとよい。実施形態によれば、ガイド孔２５１の先端端部の直径は最大でもブロック孔２４１の根元端部の直径と等しく、導入の間にカテーテル４がスリーブ２４で停止するのを防止する。
【００４７】
ガイド孔２５１は、アクチュエータ２５と同軸であることが好ましい。そのため、スリーブ２４がリング２に配置されると、ガイド孔２５１はリング２２と（そのためハウジング２０と）同軸である。
【００４８】
アクチュエータ２５の根元ガイド部２５２の形状はリング２２の形状と実質的に相補的であって、アクチュエータ２５と通路２３およびブロック室２１との整合を保証することが好ましい。そのため、実質的に管形の形状のリング２２については、ガイド部２５２は実質的に回転円筒形の形状である。リング２２へのガイドの挿入を可能にするように、またアクチュエータ２５の並進方向にこれが保持されるようにするため、ガイド部２５２の直径もリング２２の内径に応じたものである。
【００４９】
根元ガイド部２５２は、アクチュエータ２５がシステム１から抜け出るのを防止するために設けられた手段２５８を有してもよい。これらの手段２５８は特に、根元端部からある距離で根元部２５２の外面から突出する一つ以上の隆起部であるとよい。隆起部２５８の寸法は、隆起部２５８のレベルでの根元部２５２の外径がリング２２の内径より大きくなるように選択される。このようにして、アクチュエータ２５がブロックシステム１に載置されると、アクチュエータがハウジング２０から引き抜かれることはなく、アクチュエータがリング２２の根元端部の方向にある点を越えて移動することを隆起部２５８が防止する。
【００５０】
任意であるが、後述するようにアクチュエータ２５のピストン２５７が常にスリーブ２４と接触していること、そしてスリーブ２４を軸方向に変形させない休止位置、またはアクチュエータ２５がブロック室２１へ導入されてスリーブ２４を変形させるブロック位置にアクチュエータがあることを保証するように、隆起部２５８の軸方向位置が選択されてもよい。事実これは、アクチュエータ２５の休止位置においてもガイド２５１孔およびブロック孔２４１の連続性を保証し、そのためカテーテル４の導入を容易にする。
【００５１】
先端部２５４は実質的に通路２３に延在し、本体２５６と上述のピストン２５７と駆動要素２５５とを有する。本体２５６とピストン２５７と駆動要素２５５とは特に一体式であるとよい。変形例として、ピストン２５７および駆動要素２５５が本体２５６に装着されてもよい。
【００５２】
本体２５６は、アクチュエータ２５の根元ガイド部２５２とアクチュエータ２５の先端端部との間で長手軸Ｘに沿って延在して、ピストン２５７を駆動要素２５５に接続する。本体２５６の直径は特に、リング２２および／またはブロック室２１の内径より短いとよい。
【００５３】
ピストン２５７は、先端部２５４の先端端部のレベルに配設される。これは、長手軸Ｘに対して横方向に延在する円筒形ヘッドの形状を有し、アクチュエータ２５の並進方向に対して横方向に延在する実質的に平面状の先端壁部２５７ａを有する。図５ｂ，５ｃ，６ｂ，６ｃに描かれているように、ヘッドは例えば回転円筒形であって、スリーブ２４を変形させてカテーテル４をブロックすることを可能にするのに充分な厚さを有する。変形例として、ヘッドが円錐形であって、ピストン２５７の先端壁部２５７ａと本体２５６との間で減少する直径を有してもよい。
【００５４】
駆動要素２５５は、ピストン２５７と根元ガイド部２５２との間に延在して、通路２３の開口部２３１と少なくとも部分的に対向するように配設される。駆動要素２５５は、シェル３の相補的な駆動要素３３と協働する。シェル３をベース２に閉じると決められた距離にわたってアクチュエータ２５をスリーブ２４の方向に並進させるように、駆動要素２５５，３３の形状が決定される。
【００５５】
例えば、ベース２の駆動要素２５５は、並進方向に垂直な方向に要素２５５へ力が印加される時にスリーブ２４の方向の推力を発生させる力のための根元復帰斜面２５５ａを有する。このため、復帰斜面２５５は先端部２５４の本体２５６に対して実質的に横方向に延在し、斜面は長手軸Ｘに対して好ましくは１５°と８５°の間の角度αで斜めに配向されている。復帰斜面２５５ａの角度αは、スリーブ２４を軸方向に圧縮するためアクチュエータ２５が移動する距離に応じて決定され、要素２５５の直径に左右される。そのため、角度αが小さいほど、同じ距離を移動するための要素２５５の直径は大きくすべきである。
【００５６】
推力は、シェル３の駆動要素３３により印加される。このため、シェル３の駆動要素３３は、復帰斜面２５５ａと協働してアクチュエータ２５をシフトさせるのに適した突出部の形状を有する。例えば、シェル３は、ピン２７１の軸についてのシェル３の回転により、シェル３がベース２に折り重ねられ、ブロックシステム１を閉じる時に要素２５５と接触してから復帰斜面２５５ａの上に乗るように、設けられる。アクチュエータ２５はハウジング２０内で並進運動可能であるので、シェル３がベース２で停止されるまで、突起が斜面２５５ａを進む間にスリーブ２４の方向にハウジング２０内で変位する。
【００５７】
図示された実施形態では、シェル３の方向に先端部２５４の本体２５６付近から延在する環状を駆動要素２５５が有し、その外径はスリーブ２４のものと実質的に等しく、その復帰斜面２５５ａは本体２５６のいずれかの側に延在する。シェル３は二つの突起３３を有するとよく、各々が復帰斜面２５５ａと接触するのに適している。
【００５８】
シェル３は、係止手段３２によってこの位置に固定されるとよい。
【００５９】
任意であるが、要素２５５と突起３３との協働によってシェル３が定位置に保持されていてもよい。そのために、要素２５５は、斜面２５５ａの延長部において、ベース２の基部２７の方向に、長手軸Ｘに対して横方向に延在する固定壁部２５５ｂを有する。これにより、突起３３は、傾斜した復帰斜面２５５ａを移動した後に、要素２５５の固定壁部２５５ｂで停止され、こうしてシステム１を閉位置に固定する。実際には、システム１が閉じられた時にアクチュエータ２５によりスリーブ２４が変形されると、ブロックシステム１の根元端部の方向にピストン２５７へ軸力を印加して初期形状を回復し、こうして固定壁部２５５ｂを突起３３へ押圧する。（ブロックシステム１が閉じられた時に）要素２５５の固定壁部２５５ｂに平行な先端壁部３３ｂを持つ突起３３の使用によって固定が改善され得るため、スリーブ２４により印加される進行力の方向（長手軸Ｘに平行な軸方向）に対して垂直な面で、固定壁部２５５ｂと先端壁部３３ｂとが全面にわたって接触する。必要であれば、突起３３の先端壁部３３ｂも、復帰斜面２５５ａと相補的な傾斜部３３ａを有してもよく、システム１が閉じられた時に、先端壁部３３ｂは固定壁部２５５ｂおよび復帰斜面２５５ａの両方と接触して、ベース２へのシェル３のブロックを補強する。
【００６０】
長所として、要素２５５の固定壁部２５５ｂと突起３３との協働によるシェル３のブロックは、フック３２２の固定解除中に付加的な抵抗を発生させる。
【００６１】
変形例として、また同等物として、アクチュエータ２５が突起を、シェル３が復帰斜面を備える要素を支承してもよい。ブロックシステム１の操作は同じままであり、（シェルの駆動要素３３を形成する）カムの駆動壁部における（駆動要素２５５を形成する）突起の摺動のため、システム１を閉じるとハウジング内でアクチュエータ２５の変位が生じる。
【００６２】
ガイド孔２５１へのカテーテル４の導入を容易にするため、ガイド部２５２の長さは長手軸Ｘに沿ったリング２２の長さより大きいとよい。このようにして、根元ガイド部２５２が隆起部２５８で停止されると、その根元端部２５３がリング２２およびベース２よりも突出してガイド孔２５１の幅広部を解離させる。この実施形態はまた、ブロックシステム１が嵌合せずスリーブ２４が圧縮されていなくてアクチュエータ２５が明らかに休止位置にあることを操作者が確認できるという長所も有する。
【００６３】
また、アクチュエータ２５が長手軸Ｘを中心に自転し、その結果として要素２５５がもはや突起３３と対向せずにカテーテル４のブロックを妨げることを防止するため、長手軸Ｘに平行に延在する一つ以上の溝部および直線状の細溝をアクチュエータ２５およびハウジングが備えるとよい。例えば、リング２２が、アクチュエータの根元ガイド部２５２から突出する多くの溝部２５０と協働し、内面に等距離で分散された４本の細溝２２１を有してもよく、あるいはその逆でもよい。
【００６４】
変形例として、溝部２２１が例えばピストン２５７のレベルでアクチュエータ２５の先端部２５２から延在して、ハウジング２０のブロック室２１に形成された直線状の細溝２５０と協働してもよい（またはその逆であってもよい）。この変形例の実施形態では、アクチュエータ２５のピストン２５７がブロック位置と同じように休止位置でもブロック室２１に存在することを保証するようにアクチュエータ２５に隆起部２５８が配置される。
【００６５】
そのため本発明による解除可能ブロックシステム１のお蔭で、操作者は、非常に小径のものであってもカテーテル４を、単純に、人間工学的に、安全に、迅速に、そして最少の労力で接続することができる。
【００６６】
このため、ピン２７１の軸を中心とするシェル３の回転によりシェル３をベース２から引き抜くことによって、最初にブロックシステム１を開く。アクチュエータ２５はスリーブ２４に力を加えず、結果的にブロック孔２４１が開いてカテーテル４の導入を可能にし、必要であればその根元端部２５３がリング２２よりも突出する。次にアクチュエータ２５のガイド孔２５１にカテーテル４を導入してから、カテーテル４を押圧して、点検室２６に達するまでアクチュエータ２５およびスリーブ２４中を連続して通過させる。点検室２６によって、カテーテル４の先端端部は接続要素１０に充分近接していることを操作者は視覚的に確認できる。ブロックシステム１によりカテーテル４が着脱可能にブロックされる準備が整い、カテーテル４はアクチュエータ２５の孔２５１とスリーブ２４の孔２４１と点検室２６とに延在する。
【００６７】
操作者は次に、シェル３をベース２へ折り重ねてブロックシステム１を閉じカテーテル４をブロックする。閉じる間に、シェル３の突起３３がアクチュエータ２５のカム２５５と当接する。この最初の抵抗にもかかわらず閉じ続けると、アクチュエータ２５がスリーブ２４の方向に変位されてこれを軸方向に変形させる（スリーブ２４はブロック室２１の先端壁部２１２により保持されている）。ベース２の長手軸Ｘに沿ったこの軸方向変形の作用は、スリーブ２４のブロック孔２４１の断面を縮小してカテーテル４をスリーブ２４内の定位置でブロックすることである。
【００６８】
操作者は、システム１のコネクタ１０へ適応ノズルをねじ込むことにより、医療器具、例えばフィルタを固着することができる。
【００６９】
操作者がカテーテル４を引き抜きたい時には、コネクタ１０から医療器具を抜いて、ブロックシステム１を開き、適切な寸法の物品をベース２のオリフィス２７３へ挿入し、次にベース２のピン２７１を中心とする回転によりベースからシェル３を離間させてブロック要素２５５および突起３３を解離させてアクチュエータ２５を休止位置へ復帰させる必要がある。スリーブ２４は初期形状を回復してカテーテル４を解除し、操作者はブロックシステム１からカテーテルを引き抜くことができる。
【図１】
2014054540.tif 000003
【図２】
2014054540.tif 000004
【図３ａ】
2014054540.tif 000005
【図３ｂ】
2014054540.tif 000006
【図３ｃ】
2014054540.tif 000007
【図３ｄ】
2014054540.tif 000008
【図４】
2014054540.tif 000009
【図５ａ】
2014054540.tif 000010
【図５ｂ】
2014054540.tif 000011
【図５ｃ】
2014054540.tif 000012
【図６】
2014054540.tif 000013
【図７】
2014054540.tif 000014
【図８ａ】
2014054540.tif 000015
【図８ｂ】
2014054540.tif 000016
【図８ｃ】
2014054540.tif 000017
【図８ｄ】
2014054540.tif 000018
【外国語明細書】
2014054540.tif 000019
2014054540.tif 000020
2014054540.tif 000021
2014054540.tif 000022
2014054540.tif 000023
2014054540.tif 000024
2014054540.tif 000025
2014054540.tif 000026
2014054540.tif 000027
2014054540.tif 000028
2014054540.tif 000029
2014054540.tif 000030
2014054540.tif 000031
2014054540.tif 000032
2014054540.tif 000033
2014054540.tif 000034
2014054540.tif 000035
2014054540.tif 000036
2014054540.tif 000037
2014054540.tif 000038
2014054540.tif 000039
2014054540.tif 000040
2014054540.tif 000041
2014054540.tif 000042
2014054540.tif 000043
2014054540.tif 000044
2014054540.tif 000045
2014054540.tif 000046
2014054540.tif 000047
2014054540.tif 000048
2014054540.tif 000049